【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
複数種のシンボルを可変表示可能な可変表示領域を有する可変表示手段と、
前記可変表示領域が停止表示される前の段階において、所定の表示態様を表示することを許容するか否かを決定する事前決定手段と、
該事前決定手段の決定結果に基づいて前記可変表示手段を制御する表示制御手段と、
を備え、
前記可変表示手段の表示結果が導出表示されることにより１ゲームが終了するとともに、前記事前決定手段により予め定められた特別の表示態様を表示することを許容することが決定された場合において、前記予め定められた特別の表示態様が表示されたことを条件に、遊技者にとって有利な特別遊技状態に移行可能なスロットマシンであって、
前記事前決定手段により前記予め定められた特別の表示態様を表示することを許容することが決定されている場合に、前記事前決定手段により前記予め定められた特別の表示態様を表示することを許容することが決定されていない場合よりも高い割合で、前記可変表示領域に有価価値の付与を伴わない予め定められた特定の表示態様を表示させる制御を行う表示制御手段と、
前記事前決定手段により前記予め定められた特別の表示態様を表示することを許容することが決定されたことを遊技者に対して告知する告知手段と、
前記可変表示領域に予め定められた特定の表示態様が表示されたこと、及び前記告知手段により前記予め定められた特別の表示態様を表示することを許容することが決定されたことが告知されていないことを条件に、次のゲーム以降のゲームにおいて、前記事前決定手段により前記予め定められた特別の表示態様を表示することを許容することが決定されているか否かを所定の態様により報知する演出を実行する報知演出実行手段と、
を備える
ことを特徴とするスロットマシン。
【請求項２】
前記報知演出実行手段は、前記演出を、前記可変表示領域に前記予め定められた特定の表示態様が表示されたゲームの次のゲームにおいて実行する請求項１に記載のスロットマシン。
【請求項３】
前記可変表示領域に表示されるシンボルを停止させることが可能な停止操作手段を備えるとともに、前記報知演出実行手段は、前記演出を、前記停止操作手段の停止操作に応じて実行する請求項１または２に記載のスロットマシン。
【請求項４】
前記告知手段は、前記事前決定手段により前記予め定められた特別の表示態様を表示することを許容することが決定されたことを示す態様の演出の終了後において前記告知を実行する請求項１〜３のいずれかに記載のスロットマシン。
【請求項５】
前記可変表示領域を複数備えるとともに、前記可変表示領域に表示されるシンボルを停止させることが可能な停止操作手段を備え、前記告知手段は、前記停止操作手段による各可変表示領域毎の停止操作に応じて実行される前記各演出の終了時において前記告知を実行する請求項１〜４のいずれかに記載のスロットマシン。
【請求項６】
前記報知演出実行手段は、前記事前決定手段により前記予め定められた特別の表示態様を表示することを許容することが決定され、かつ、前記可変表示領域に前記予め定められた特定の表示態様が表示された場合において、前記事前決定手段により前記予め定められた特別の表示態様を表示することを許容することが決定されていないことを示す態様の演出を実行する制御が可能である請求項１〜５のいずれかに記載のスロットマシン。
【請求項７】
前記表示制御手段は、前記事前決定手段により前記予め定められた特別の表示態様を表示することを許容することが決定されている場合に、前記可変表示領域に前記予め定められた特定の表示態様を所定の割合で表示させる制御を行う請求項１〜６のいずれかに記載のスロットマシン。
【請求項８】
前記可変表示手段が、駆動手段により回転されるリールにより構成されており、前記報知演出実行手段は、前記演出を、前記リールの外周に複数配設されたシンボルを裏面から照射するように設けたバックライトにより実行するようになっている請求項１〜７のいずれかに記載のスロットマシン。
【手続補正２】
【補正対象書類名】明細書
【補正対象項目名】０００８
【補正方法】変更
【補正の内容】
【０００８】
上記課題を解決するために、本発明のスロットマシンは、
複数種のシンボルを可変表示可能な可変表示領域を有する可変表示手段と、
前記可変表示領域が停止表示される前の段階において、所定の表示態様を表示することを許容するか否かを決定する事前決定手段と、
該事前決定手段の決定結果に基づいて前記可変表示手段を制御する表示制御手段と、
を備え、
前記可変表示手段の表示結果が導出表示されることにより１ゲームが終了するとともに、前記事前決定手段により予め定められた特別の表示態様を表示することを許容することが決定された場合において、前記予め定められた特別の表示態様が表示されたことを条件に、遊技者にとって有利な特別遊技状態に移行可能なスロットマシンであって、
前記事前決定手段により前記予め定められた特別の表示態様を表示することを許容することが決定されている場合に、前記事前決定手段により前記予め定められた特別の表示態様を表示することを許容することが決定されていない場合よりも高い割合で、前記可変表示領域に有価価値の付与を伴わない予め定められた特定の表示態様を表示させる制御を行う表示制御手段と、
前記事前決定手段により前記予め定められた特別の表示態様を表示することを許容することが決定されたことを遊技者に対して告知する告知手段と、
前記可変表示領域に予め定められた特定の表示態様が表示されたこと、及び前記告知手段により前記予め定められた特別の表示態様を表示することを許容することが決定されたことが告知されていないことを条件に、次のゲーム以降のゲームにおいて、前記事前決定手段により前記予め定められた特別の表示態様を表示することを許容することが決定されているか否かを所定の態様により報知する演出を実行する報知演出実行手段と、
を備える
ことを特徴としている。
この特徴によれば、遊技者にとって有利な特別遊技状態への移行条件が成立する可能性があることを報知すべく演出が、予め定められた特定の表示態様が表示されたゲームの次のゲーム以降において行われるので、遊技者は前記演出を見逃すことなく楽しめるため、遊技の興趣が向上するとともに、前記特別遊技状態への移行条件が成立する可能性があることを遊技者に対して確実に、かつ効果的にアピール出来る。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明のスロットマシンの前記報知演出実行手段は、前記演出を、前記可変表示領域に前記予め定められた特定の表示態様が表示されたゲームの次のゲームにおいて実行することが好ましい。
このようにすれば、予め定められた特定の表示態様が表示されることと演出との関係が明確になるため、演出効果が高まる。
【手続補正５】
【補正対象書類名】明細書
【補正対象項目名】００１１
【補正方法】変更
【補正の内容】
【００１１】
本発明のスロットマシンは、前記可変表示領域に表示されるシンボルを停止させることが可能な停止操作手段を備えるとともに、前記報知演出実行手段は、前記演出を、前記停止操作手段の停止操作に応じて実行することが好ましい。
このようにすれば、演出が遊技者による操作に応じて実行されるので、遊技の興趣が効果的に向上する。
【手続補正６】
【補正対象書類名】明細書
【補正対象項目名】００１２
【補正方法】変更
【補正の内容】
【００１２】
本発明のスロットマシンの前記告知手段は、前記事前決定手段により前記予め定められた特別の表示態様を表示することを許容することが決定されたことを示す態様の演出の終了後において前記告知を実行することが好ましい。
このようにすれば、前記事前決定手段により前記予め定められた特別の表示態様を表示することを許容することが決定されたことを、演出のみでなく告知手段により遊技者に対して確実に告知することが出来る。
【手続補正７】
【補正対象書類名】明細書
【補正対象項目名】００１３
【補正方法】変更
【補正の内容】
【００１３】
本発明のスロットマシンは、前記可変表示領域を複数備えるとともに、前記可変表示領域に表示されるシンボルを停止させることが可能な停止操作手段を備え、前記告知手段は、前記停止操作手段による各可変表示領域毎の停止操作に応じて実行される前記各演出の終了時において前記告知を実行することが好ましい。
このようにすれば、１ゲーム内に演出が複数実行されるとともに、各演出の終了時において逐次演出結果が導出されることになるため、各演出の興趣が効果的に高まる。
【手続補正８】
【補正対象書類名】明細書
【補正対象項目名】００１４
【補正方法】変更
【補正の内容】
【００１４】
本発明のスロットマシンの前記報知演出実行手段は、前記事前決定手段により前記予め定められた特別の表示態様を表示することを許容することが決定され、かつ、前記可変表示領域に前記予め定められた特定の表示態様が表示された場合において、前記事前決定手段により前記予め定められた特別の表示態様を表示することを許容することが決定されていないことを示す態様の演出を実行する制御が可能であることが好ましい。
このようにすれば、前記事前決定手段により前記予め定められた特別の表示態様を表示することを許容することが決定されていないことを示す態様の演出が実行された場合においても、その後のゲームにおいて特別遊技状態が成立する可能性があるため、遊技の興趣が向上する。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
本発明のスロットマシンの前記表示制御手段は、前記事前決定手段により前記予め定められた特別の表示態様を表示することを許容することが決定されている場合に、前記可変表示領域に前記予め定められた特定の表示態様を所定の割合で表示させる制御を行うことが好ましい。
このようにすれば、前記可変表示領域に前記予め定められた特定の表示態様が表示されなくても、前記可変表示領域に前記予め定められた特別の表示態様が表示されることがあるため、遊技の興趣が向上する。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
本発明のスロットマシンは、前記可変表示手段が、駆動手段により回転されるリールにより構成されており、前記報知演出実行手段は、前記演出を、前記リールの外周に複数配設されたシンボルを裏面から照射するように設けたバックライトにより実行するようになっていることが好ましい。
このようにすれば、複雑な装置等を用いることなく、多様な演出を容易に行うことが出来る。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
（ｂ）請求項２項の発明によれば、予め定められた特定の表示態様が表示されることと演出との関係が明確になるため、演出効果が高まる。
【手続補正１５】
【補正対象書類名】明細書
【補正対象項目名】００２３
【補正方法】変更
【補正の内容】
【００２３】
（ｃ）請求項３項の発明によれば、演出が遊技者による操作に応じて実行されるので、遊技の興趣が効果的に向上する。
【手続補正１６】
【補正対象書類名】明細書
【補正対象項目名】００２４
【補正方法】変更
【補正の内容】
【００２４】
（ｄ）請求項４項の発明によれば、前記事前決定手段により前記予め定められた特別の表示態様を表示することを許容することが決定されたことを、演出のみでなく告知手段により遊技者に対して確実に告知することが出来る。
【手続補正１７】
【補正対象書類名】明細書
【補正対象項目名】００２５
【補正方法】変更
【補正の内容】
【００２５】
（ｅ）請求項５項の発明によれば、１ゲーム内に演出が複数実行されるとともに、各演出の終了時において逐次演出結果が導出されることになるため、各演出の興趣が効果的に高まる。
【手続補正１８】
【補正対象書類名】明細書
【補正対象項目名】００２６
【補正方法】変更
【補正の内容】
【００２６】
（ｆ）請求項６項の発明によれば、前記事前決定手段により前記予め定められた特別の表示態様を表示することを許容することが決定されていないことを示す態様の演出が実行された場合においても、その後のゲームにおいて特別遊技状態が成立する可能性があるため、遊技の興趣が向上する。
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】変更
【補正の内容】
【００２８】
（ｇ）請求項７項の発明によれば、前記可変表示領域に前記予め定められた特定の表示態様が表示されなくても、前記可変表示領域に前記予め定められた特別の表示態様が表示されることがあるため、遊技の興趣が向上する。
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】変更
【補正の内容】
【００３０】
（ｈ）請求項８項の発明によれば、複雑な装置等を用いることなく、多様な演出を容易に行うことが出来る。
【手続補正２３】
【補正対象書類名】明細書
【補正対象項目名】０１１８
【補正方法】変更
【補正の内容】
【０１１８】
本発明の請求項１は、複数種のシンボルを可変表示可能な可変表示領域（可変表示部７１）を有する可変表示手段（可変表示装置７０）と、
前記可変表示領域が停止表示される前の段階において、所定の表示態様を表示することを許容するか否かを決定する事前決定手段（制御部４５）と、
該事前決定手段の決定結果に基づいて前記可変表示手段を制御する表示制御手段（制御部４５）と、
を備え、
前記可変表示手段の表示結果が導出表示されることにより１ゲームが終了するとともに、前記事前決定手段により予め定められた特別の表示態様を表示することを許容することが決定された場合において、前記予め定められた特別の表示態様が表示されたことを条件に、遊技者にとって有利な特別遊技状態に移行可能なスロットマシン（１）であって、
前記事前決定手段により前記予め定められた特別の表示態様を表示することを許容することが決定されている場合（ボーナスが当選している場合）に、前記事前決定手段により前記予め定められた特別の表示態様を表示することを許容することが決定されていない場合（ボーナスが当選していない場合）よりも高い割合で、前記可変表示領域（可変表示部７１）に有価価値（メダル）の付与を伴わない予め定められた特定の表示態様（スイカの組み合わせ）を表示させる制御を行う表示制御手段（制御部４５）と、
前記事前決定手段により前記予め定められた特別の表示態様を表示することを許容することが決定されたことを遊技者に対して告知する告知手段（表示ランプ１０５）と、
前記可変表示領域（可変表示部７１）に予め定められた特定の表示態様が表示されたこと、及び前記告知手段（表示ランプ１０５）により前記予め定められた特別の表示態様を表示することを許容することが決定されたことが告知されていないことを条件に、次のゲーム以降のゲームにおいて、前記事前決定手段（制御部４５）により前記予め定められた特別の表示態様を表示することを許容することが決定されているか否かを所定の態様により報知する演出を実行する報知演出実行手段と、
を備える。
【手続補正２４】
【補正対象書類名】明細書
【補正対象項目名】０１１９
【補正方法】削除
【補正の内容】
【手続補正２５】
【補正対象書類名】明細書
【補正対象項目名】０１２０
【補正方法】変更
【補正の内容】
【０１２０】
本発明の請求項２は、前記報知演出実行手段は、前記演出を、前記可変表示領域（可変表示部７１）に前記予め定められた特定の表示態様が表示されたゲームの次のゲームにおいて実行する。
【手続補正２６】
【補正対象書類名】明細書
【補正対象項目名】０１２１
【補正方法】変更
【補正の内容】
【０１２１】
本発明の請求項３は、前記可変表示領域に表示されるシンボルを停止させることが可能な停止操作手段（停止ボタン９Ｌ、９Ｃ、９Ｒ）を備えるとともに、前記報知演出実行手段は、前記演出を、前記停止操作手段（停止ボタン９Ｌ、９Ｃ、９Ｒ）の停止操作に応じて実行する。
【手続補正２７】
【補正対象書類名】明細書
【補正対象項目名】０１２２
【補正方法】変更
【補正の内容】
【０１２２】
本発明の請求項４は、前記告知手段（表示ランプ１０５）は、前記事前決定手段により前記予め定められた特別の表示態様を表示することを許容することが決定されたことを示す態様の演出の終了後において前記告知を実行する。
【手続補正２８】
【補正対象書類名】明細書
【補正対象項目名】０１２３
【補正方法】変更
【補正の内容】
【０１２３】
本発明の請求項５は、前記可変表示領域（可変表示部７１）を複数備えるとともに、前記可変表示領域に表示されるシンボルを停止させることが可能な停止操作手段（停止ボタン９Ｌ、９Ｃ、９Ｒ）を備え、前記告知手段（表示ランプ１０５）は、前記停止操作手段（停止ボタン９Ｌ、９Ｃ、９Ｒ）による各可変表示領域毎の停止操作に応じて実行される前記各演出の終了時において前記告知を実行する。
【手続補正２９】
【補正対象書類名】明細書
【補正対象項目名】０１２４
【補正方法】変更
【補正の内容】
【０１２４】
本発明の請求項６は、前記報知演出実行手段は、前記事前決定手段（制御部４５）により前記予め定められた特別の表示態様を表示することを許容することが決定され、かつ、前記可変表示領域（可変表示部７１）に前記予め定められた特定の表示態様が表示された場合において、前記事前決定手段により前記予め定められた特別の表示態様を表示することを許容することが決定されていないことを示す態様の演出を実行する制御が可能である。
【手続補正３０】
【補正対象書類名】明細書
【補正対象項目名】０１２５
【補正方法】変更
【補正の内容】
【０１２５】
本発明の請求項７は、前記表示制御手段（制御部４５）は、前記事前決定手段（制御部４５）により前記予め定められた特別の表示態様を表示することを許容することが決定されている場合に、前記可変表示領域に前記予め定められた特定の表示態様を所定の割合で表示させる制御を行う。
【手続補正３１】
【補正対象書類名】明細書
【補正対象項目名】０１２６
【補正方法】削除
【補正の内容】
【手続補正３２】
【補正対象書類名】明細書
【補正対象項目名】０１２７
【補正方法】削除
【補正の内容】
【手続補正３３】
【補正対象書類名】明細書
【補正対象項目名】０１２８
【補正方法】変更
【補正の内容】
【０１２８】
本発明の請求項８は、前記可変表示手段（可変表示装置７０）が、駆動手段（リール駆動モータ７Ｌ、７Ｃ、７Ｒ）により回転されるリール（６Ｒ、６Ｃ、６Ｌ）により構成されており、前記報知演出実行手段は、前記演出を、前記リールの外周に複数配設されたシンボルを裏面から照射するように設けたバックライト（照射ランプ１００〜１０２）により実行するようになっている。